(57)【要約】【課題】周囲の温度を検知し、検知した温度が規定値以上であった場合に自動的に送風運転を開始する送風機を提供することを目的とする。【解決手段】本発明の送風機１は、温度センサ４４と、温度センサ４４の検知温度に応じて送風動作を制御する運転モード制御部と、を備え、温度センサ４４が規定値以上の温度を検知した場合に送風運転を行う自動送風開始モードを有することにより、温度センサ４４が検知した温度が規定値以上と判定された場合に送風部６による送風運転を自動的に開始する。【選択図】図１
2020029854.tif 000002
【特許請求の範囲】
【請求項１】
温度検知手段と、
前記温度検知手段の検知温度に応じて送風動作を制御する制御手段と、を備え、
前記温度検知手段が規定値以上の温度を検知した場合に送風運転を行う自動送風開始モードを有することを特徴とする送風機。
【請求項２】
温度検知手段と、
湿度検知手段と、
前記温度検知手段の検知温度と前記湿度検知手段の検知湿度に基づいて不快指数を算出する不快指数算出部と、
前記検知温度又は前記不快指数に応じて送風動作を制御する制御手段と、を備え、
前記温度検知手段が規定値以上の温度を検知した場合又は前記不快指数が規定値以上である場合に送風運転を行う自動送風開始モードを有することを特徴とする送風機。
【請求項３】
前記自動送風開始モードのオンとオフを切り換え可能であることを特徴とする請求項１又は２に記載の送風機。
【発明の詳細な説明】
【技術分野】
【０００１】
本発明は、周囲の温度を検知し、検知した温度が所定値以上の場合に自動で送風運転を開始する送風機に関する。
【背景技術】
【０００２】
従来、周囲の温度を検知する温度検知器と、この温度検知器の検知した温度により室温を推定して電動機を駆動する制御部とを備え、制御部が温度検知器の検知した温度により室内温度を推定して電動機を駆動することで、室温に応じて回転速度を調節することができる天井扇風機が知られている（特許文献１参照）。
【０００３】
特許文献１に記載の天井扇風機は、各室温に対するユーザーによる手動運転での使用状態の情報を記憶可能であり、自動運転時に推定した室温によって自動的にユーザーの使用状態に応じて電動機を駆動させることができるものである。
【先行技術文献】
【特許文献】
【０００４】
【特許文献１】特開２０１０−２４２６２６号公報
【発明の概要】
【発明が解決しようとする課題】
【０００５】
特許文献１に記載の天井扇風機は、検知した室温に応じて回転速度を調節するものであるが、あくまでも、送風運転を行っている状態で回転速度を調節するものである。
【０００６】
夏季等、気温の高い日には、就寝時に扇風機やエアコンの切りタイマを設定し、所定時間後に運転を停止させることが行われている。しかしながら、扇風機やエアコンの運転が停止した後に室温が上昇すると寝苦しくなる。その場合に、暑さで目が覚めることで睡眠不足となったり、再度扇風機やエアコンの運転を開始させる煩わしさ等の問題があった。
【０００７】
そこで、本発明は、周囲の温度を検知し、検知した温度が規定値以上であった場合に自動的に送風運転を開始する送風機を提供することを目的とする。
【課題を解決するための手段】
【０００８】
本発明の送風機は、温度検知手段と、前記温度検知手段の検知温度に応じて送風動作を制御する制御手段と、を備え、前記温度検知手段が規定値以上の温度を検知した場合に自動的に送風運転を行う自動送風開始モードを有することを特徴とする。
【０００９】
また、本発明の送風機は、温度検知手段と、湿度検知手段と、前記温度検知手段の検知温度と前記湿度検知手段の検知湿度に基づいて不快指数を算出する不快指数算出部と、前記検知温度又は前記不快指数に応じて送風動作を制御する制御手段と、を備え、前記温度検知手段が規定値以上の温度を検知した場合又は前記不快指数が規定値以上である場合に送風運転を行う自動送風開始モードを有することを特徴とする。
【００１０】
また、本発明の送風機は、前記自動送風開始モードのオンとオフを切り換え可能であることを特徴とする。
【発明の効果】
【００１１】
本発明の送風機によれば、温度検知手段が規定値以上の温度を検知した場合に自動的に送風運転を行うことができる。
【図面の簡単な説明】
【００１２】
【図１】本発明の第１実施形態の扇風機の斜視図である。
【図２】同上、リモコンの平面図である。
【図３】同上、ベースの平面図である。
【図４】同上、扇風機本体の電気的構成を示すブロック図である。
【図５】同上、自動送風開始モードの動作を示すフローチャートである。
【図６】本発明の第２実施形態の扇風機本体の構成を示すブロック図である。
【図７】同上、自動送風開始・停止モードの動作を示すフローチャートである。
【図８】本発明の第３実施形態の扇風機の斜視図である。
【図９】同上、ベースの平面図である。
【図１０】同上、扇風機本体の電気的構成を示すブロック図である。
【図１１】同上、自動送風開始モードの動作を示すフローチャートである。
【発明を実施するための形態】
【００１３】
以下、本発明における好ましい送風機の実施形態について、添付図面を参照して説明する。以下に説明する実施形態は、特許請求の範囲に記載された本発明の内容を限定するものではない。また、以下に説明される構成の全てが、本発明の必須要件であるとは限らない。
【００１４】
図１〜図５は本発明の第１実施形態を示す。図１は、本実施形態における送風機としての扇風機１の外観を示しているが、扇風機１は、扇風機本体２と遠隔操作体としてのリモコン３とにより構成されている。扇風機本体２は、室内の床面などに載置されるベース４と、ベース４から上方に向かう支柱５と、風を送り出す送風部６と、送風部６を任意の方向に首振り運動させるための首振り装置７と、を主な構成要素とする。支柱５の上端部に送風部６が設けられ、送風部６の後部に首振り装置７が設けられている。
【００１５】
図２に示すように、リモコン３は、扇風機本体２を離れた場所から操作する遠隔操作体として、扇風機本体２と別体に備えてある。本実施形態のリモコン３は、外形が平面視略矩形状に形成され、表側にリモコン操作部１１が設けられている。リモコン操作部１１は、何れも使用者の押動操作が可能な複数の操作体として、運転入／切ボタン１２と、首振りボタン１３と、ランダムボタン１４と、風量＋ボタン１５と、風量−ボタン１６と、自動モードボタン１７と、タイマ切ボタン１８と、タイマ入ボタン１９と、を備えている。
【００１６】
そして本実施形態では、リモコン操作部１１を構成するボタン１２〜１９の何れかを押す毎に、そのボタン１２〜１９に対応した固有のコードを含む赤外線信号が無線で送信され、この赤外線信号を受信した扇風機本体２が、送風部６や首振り装置７の動作を遠隔操作する構成となっている。なお、上述したリモコン３の各部の形状や配置や数については、本実施形態で説明したものに限定されない。
【００１７】
なお、リモコン３は、内蔵する電池（図示せず）により給電されるが、充電式のバッテリーを用いてもよい。また、リモコン３は、扇風機本体２に着脱可能としてもよい。
【００１８】
基台となる樹脂製のベース４は、その外形が平面視でほぼ円形をなす扁平状に形成されている。また、ベース４には、扇風機本体２の各部へ給電するための電源プラグ２１が取り付けられた電源コード２２が巻き取り可能に設けられている。
【００１９】
図３は、ベース４の上面に設けた本体操作部２３および本体表示部２４の外観を示したものである。本体操作部２３は、上記リモコン操作部１１と同様に、何れも押動操作が可能な複数の操作体として、運転入／切ボタン２５と、首振りボタン２６と、ランダムボタン２７と、風量＋ボタン２８と、風量−ボタン２９と、自動モードボタン３０と、タイマ切ボタン３１と、タイマ入ボタン３２と、により構成される。
【００２０】
本実施形態では、電源プラグ２１を家庭用のコンセント（図示せず）に差し込むことで扇風機本体２に給電されるが、電池又はバッテリーを内蔵し、それらから給電されるようにしてもよい。
【００２１】
扇風機本体２が給電された状態で、リモコン３の運転入／切ボタン１２又は本体操作部２３の運転入／切ボタン２５を押すたびに、扇風機本体２の送風運転が開始又は停止の何れかに切り換わる構成となっている。
【００２２】
首振りボタン１３および首振りボタン２６は、押すたびに送風部６の首振り角度を０°（すなわち、首振り解除）と、５０°と、９０°の何れかに切り換えることができる。
【００２３】
ランダムボタン１４およびランダムボタン２７は、押すたびに送風部６からの風量が一定で変化しない連続風と、送風部６からの風量が強弱して複雑に変化するランダム風の何れかに切り換えることができる。
【００２４】
風量＋ボタン１５および風量＋ボタン２８は、押すたびに送風量を増加させることができ、風量−ボタン１６および風量−ボタン２９は、押すたびに送風量を減少させることができる。
【００２５】
自動モードボタン１７および自動モードボタン３０は、押すたびに自動送風開始モードのオンとオフを切り換えることができる。
【００２６】
タイマ切ボタン１８およびタイマ切ボタン３１は、扇風機本体２の送風運転を停止するまでのタイマ切時間を、０時間（すなわち、タイマ解除）と、１時間と、２時間と、４時間の何れかに切り換えることができる。また、タイマ入ボタン１９およびタイマ入ボタン３２は、扇風機本体２の送風運転を開始するまでのタイマ入時間を、０時間（すなわち、タイマ解除）と、２時間と、４時間と、６時間の何れかに切り換えることができる。
【００２７】
本体操作部２３に近接して設けられた本体表示部２４は、バックライトが照射されるＬＣＤ（液晶ディスプレイ）に、例えば「９０°」や「５０°」と表示する首振り角度表示部３３と、例えば「ランダム」と表示するランダム表示部３４と、例えば「１」〜「９」のアラビア数字を表示する７セグメントの風量レベル表示部３５と、例えば「１８℃」〜「３０℃」を１℃刻みで表示する設定温度表示部３６と、例えば「１」や「２」や「４」と表示するタイマ切時間表示部３７と、例えば「２」や「４」や「６」と表示するタイマ入時間表示部３８が、それぞれ設けられている。
【００２８】
ベース４の側面部には、リモコン３からの赤外線信号を受信する受光部３９が３箇所に設けられている。
【００２９】
支持部となる支柱５は、首振り装置７を含めた送風部６を昇降可能にする昇降装置をなすもので、ベース４の上面から垂直に延びる筒状の支柱基部４１と、この支柱基部４１の内側に上下摺動自在に組み付けられた摺動杆４２とからなり、支柱基部４１の上部後方に設けたロック釦４３を、図示しない弾性体の付勢力に抗して押動することにより、支柱基部４１と摺動杆４２との係合が解除されて、送風部６や首振り装置７を支持する摺動杆４２が、支柱基部４１に対して上下に摺動するようになっている。支柱基部４１の正面上部には、扇風機本体２の周囲の温度を検知する温度検知手段としての温度センサ４４が設けられている。なお、温度センサ４４は、周囲の温度を検知可能であれば他の位置に設けてもよい。
【００３０】
送風部６は、駆動源としてのモータに相当するＤＣ（直流）ファンモータ（図示せず）と、このＤＣファンモータにより回転駆動される羽根としての送風ファン４６と、送風ファン４６を囲む通気可能な網状のファンガード４７とからなる。送風部６のＤＣファンモータと首振り装置７の全体は、前側を開口した駆動部カバー４８により覆われており、この駆動部カバー４８の開口周縁にファンガード４７が取り付けられている。ここでは、送風部６の駆動源としてＤＣファンモータを採用しているので、ＤＣファンモータに供給するパルス駆動信号のデューティを制御することで、送風ファン４６の回転数を任意に可変することができる。
【００３１】
本実施形態の扇風機１は、温度センサ４４により検知した扇風機本値２の周囲の温度が規定値以上と判定された場合には、送風部６による送風運転を自動で開始する自動送風開始モードを選択可能に有している。
【００３２】
ここで、自動送風開始モードを実行する扇風機本体２の電気的構成を図４に示すブロック図に基づいて説明する。扇風機本体２の内部には、本体操作部２３の操作情報や受光部３９が受けたリモコン３からの通信情報に基づいて、扇風機本体２の動作を制御する制御部５１が設けられている。制御部５１は、リモコン３や本体操作部２３からの自動送風開始モードをオンにするとの通信情報に基づいて本体表示部２４への表示信号や温度センサ４４への温度検知開始信号を送出する自動送風開始モード判定部５２と、温度センサ４４からの温度情報に基づき検知温度が規定値以上であるか否かを判定する温度判定部５３と、温度判定部５３の判定結果に基づいて駆動部５４に対して制御情報を送出する制御手段としての運転モード制御部５５と、前回の送風時の運転モードや初期設定の運転モード等を保存する記憶部５６とを備えている。
【００３３】
また、扇風機本体２の内部には、運転モード制御部５５により制御される駆動部５４が設けられている。駆動部５４は、送風部６の首振り運動の駆動源である首振り駆動部５７と、ファンの回転運動の駆動源である送風駆動部５８と、送風部６が送り出す風の幅を切り換える手段である風幅切換駆動部５９とを備えている。
【００３４】
次に、自動送風開始モードの設定方法について説明する。本実施形態では、初期設定において自動送風開始モードがオンになっており、規定値である設定温度は２５℃に設定されている。そのため、扇風機本体２に給電すると本体表示部２４の設定温度表示部３６には「２５℃」の文字が表示される。設定温度表示部３６に設定温度が点灯表示されることで自動送風開始モードがオンになっていることを示し、設定温度表示が消灯している場合には自動送風開始モードがオフになっていることを示している。
【００３５】
自動送風開始モードがオンになっている状態で、リモコン操作部１１の自動モードボタン１７又は本体操作部２３の自動モードボタン３０を１回押動操作すると、設定温度表示部３６の設定温度が消灯する。この状態が自動送風開始モードがオフの状態である。
【００３６】
自動送風開始モードがオフの状態で自動モードボタン１７又は自動モードボタン３０を１回押動操作すると、設定温度表示部３６に設定温度が点滅表示される。この状態で、リモコン操作部１１の風量＋ボタン１５と風量−ボタン１６又は本体操作部２３の風量＋ボタン２８と風量−ボタン２９を押動操作し設定温度を変更することができる。風量＋ボタン１５，２８を１回押動操作すると、表示されている設定温度が１℃上がり、風量−ボタン１６，２９を１回押動操作すると、表示されている設定温度が１℃下がる。所望の設定温度としたら自動モードボタン１７，３０を１回押動操作することで、設定温度表示部３６に設定温度が点灯表示され、自動送風開始モードがオンとなる。
【００３７】
次に、図５に示すフローチャートを参照して自動送風開始モードの具体的な動作について説明する。
【００３８】
ステップＳ１：扇風機本体２に給電されると、自動送風開始モード判定部５２により、自動送風開始モードが選択されている（オン）か選択されていない（オフ）かが判定される。
【００３９】
ステップＳ２：自動送風開始モードがオフの場合には、温度センサ４４による温度検知は行われない。
【００４０】
ステップＳ３：自動送風開始モードがオンの場合には、自動送風開始モード判定部５２から温度センサ４４に対して温度検知開始信号が送出され、温度センサ４４が周囲の温度検知を開始する。
【００４１】
ステップＳ４：温度センサ４４により検知された温度情報は、温度判定部５３に送られ、温度判定部５３が設定された規定値以上であるか否かを判定する。温度判定部５３により温度が規定値未満と判定された場合には、ステップＳ１に移行する。
【００４２】
ステップＳ５：温度判定部５３により温度が規定値以上と判定された場合には、運転モード制御部５５から駆動部５４に対して駆動信号が送出され、送付部６による送風が開始される。この時、記憶部５６に保存されている前回の送風運転時の運転モード情報（首振りの有無、ランダム送風の有無、風量等）が呼び出され、その運転モードにより送風が行われる。なお、前回の送風運転後に扇風機本体２への給電が停止された場合には、初期設定の運転モードにより送風が行われる。送風部６が既に送風運転を行っている場合には、その送風運転が継続される。
【００４３】
ステップＳ６：送風運転が行われている状態で、リモコン操作部１１の運転入／切ボタン１２又は本体操作部２３の運転入／切ボタン２５を押動操作して扇風機本体２の電源を切ると、送風運転が停止すると共に、ステップＳ１に移行する。
【００４４】
次に、扇風機１の使用者が、リモコン３又は本体操作部２３等により以下の操作１〜操作９を行った場合について説明する。なお、各操作１〜操作９はそれぞれ独立した操作であり、操作１から操作９までを順に行うものではない。
【００４５】
操作１：送風運転を行っている状態において、自動送風開始モードをオフにした場合には、設定温度表示部３６が消灯し、送風運転は継続される。
【００４６】
操作２：操作１の後、運転入／切ボタン１２，２５を押動操作して掃除機本体２の電源を切ると、送風運転が停止し、ステップＳ１に移行する。
【００４７】
操作３：操作２の後、電源プラグ２１をコンセントから抜いて掃除機本体２への給電を停止すると、掃除機本体２の動作が全て停止する。
【００４８】
操作４：操作１の後、掃除機本体２への給電を停止すると、掃除機本体２の動作が全て停止する。
【００４９】
操作５：送風運転を行っている状態において、掃除機本体２の電源を切った場合（ステップＳ６）には送風運転が停止し、ステップＳ１に移行する。
【００５０】
操作６：操作５の後、自動送風開始モードをオフにした場合には、設定温度表示部３６の設定温度が消灯し、ステップＳ１からステップＳ２へ移行し、送風運転停止状態が維持される。
【００５１】
操作７：操作６の後、掃除機本体２への給電を停止すると、掃除機本体２の動作が全て停止する。
【００５２】
操作８：操作５の後、掃除機本体２への給電を停止すると、掃除機本体２の動作が全て停止する。
【００５３】
操作９：送風運転を行っている状態において、掃除機本体２への給電を停止すると、掃除機本体２の動作が全て停止する。
【００５４】
本実施形態の扇風機本体２は、初期設定として自動送風開始モードがオンとなっている。そのため、自動送風開始モードがオン又はオフの状態で掃除機本体２への給電を停止し、掃除機本体２の動作を全て停止した後、再度掃除機本体２へ給電すると、自動送風開始モードがオンになるようになっている。なお、初期設定として自動送風開始モードがオフとなるようにしてもよい。また、運転入／切ボタン１２，２５の押動操作では、自動送風開始モードのオン／オフが切り換わることはない。
【００５５】
以上のように、本実施形態の扇風機１は、温度センサ４４と、温度センサ４４の検知温度に応じて送風動作を制御する運転モード制御部５５と、を備え、温度検センサ４４が規定値以上の温度を検知した場合に送風運転を行う自動送風開始モードを有することにより、温度検センサ４４が検知した扇風機本体２の周囲の温度が規定値以上と判定された場合に、送風部６による送風運転を自動的に開始することができる。
【００５６】
また、本実施形態の扇風機１は、自動送風開始モードのオンとオフを切り換え可能であることにより、扇風機１の使用者が自動送風開始モードを使用するか否かを選択することができる。
【００５７】
図６および図７は、本発明の第２実施形態を示したものであり、上記第１実施形態と同一部分に同一符号を付し、その詳細な説明を省略して詳述する。本実施形態は、第１実施形態の自動送風開始モードに代えて、温度センサ４４により検知した扇風機本値２の周囲の温度が規定値以上と判定された場合に送風部６による送風運転を自動で行い、規定値未満と判定された場合に送風部６による送風運転を自動で停止する、自動送風開始・停止モードを有するものである。
【００５８】
図６に示すように、本実施形態の扇風機本体２の制御部５１は、第１実施形態の自動送風開始モード判定部５２に換えて、自動送風開始・停止モード判定部６１を備えている。
【００５９】
次に、図７に示すフローチャートを参照して自動送風開始・停止モードの具体的な動作について説明する。
【００６０】
ステップＳ１：扇風機本体２に給電されると、自動送風開始・停止モード判定部６１により、自動送風開始・停止モードが選択されている（オン）か選択されていない（オフ）かが判定される。
【００６１】
ステップＳ２：自動送風開始・停止モードがオフの場合には、温度センサ４４による温度検知は行われない。
【００６２】
ステップＳ３：自動送風開始・停止モードがオンの場合には、自動送風開始・停止モード判定部６１から温度センサ４４に対して温度検知開始信号が送出され、温度センサ４４が周囲の温度検知を開始する。
【００６３】
ステップＳ４：温度センサ４４により検知された温度情報は、温度判定部５３に送られ、温度判定部５３が設定された規定値以上であるか否かを判定する。
【００６４】
ステップＳ５：温度判定部５３により温度が規定値未満と判定された場合には、運転モード制御部５５から駆動部５４に対して駆動停止信号が送出され、送風運転が停止し、ステップＳ１に移行する。
【００６５】
ステップＳ６：温度判定部５３により温度が規定値以上と判定された場合には、運転モード制御部５５から駆動部５４に対して駆動信号が送出され、送付部６による送風が開始される。この時、記憶部５６に保存されている前回の送風運転時の運転モード情報又は初期設定の運転モード情報が呼び出され、その運転モードにより送風が行われる。送風部６が既に送風運転を行っている場合には、その送風運転が継続される。そして、送風運転が行われている状態でステップ１に移行する。
【００６６】
ステップＳ７：送風運転が行われている状態で、運転入／切ボタン１２，２５を押動操作して扇風機本体２の電源を切ると、送風運転が停止すると共に、ステップＳ１に移行する。
【００６７】
なお、本実施形態においても、後述する第３実施形態の不快指数ＤＩによる判定を行う構成としてもよい。
【００６８】
以上のように、本実施形態の扇風機１は、自動送風開始・停止モードを有することにより、温度センサ４４が検知した扇風機本体２の周囲の温度が規定値以上の場合には、送風部６による送風運転を自動的に開始し、検知した温度が規定値未満の場合には、送風部６による送風運転を自動的に停止することができる。
【００６９】
図８〜図１１は、本発明の第３実施形態を示したものであり、上記第１実施形態と同一部分に同一符号を付し、その詳細な説明を省略して詳述する。本実施形態は、検知温度が規定値以上の場合又は、不快指数を算出し、その不快指数が規定値以上の場合に送風部６による送風運転を行うものである。
【００７０】
図８に示すように、支柱基部４１の正面上部には、温度センサ４４と、湿度検知手段としての湿度センサ７１が、共通する外郭７２に覆われた状態で配設される。湿度センサ７１は扇風機本体２の周囲の湿度を検知して、電気的な湿度検知信号を出力するものである。
【００７１】
図９に示すように、本実施形態の本体表示部２４には、設定不快指数表示部７３が設けられており、規定値である設定不快指数を、「８０」〜「８５」で１刻みに表示する。
【００７２】
図１０は、本実施形態の電気的構成を示すブロック図である。扇風機本体２の内部には、本体操作部２３の操作情報や受光部３９が受けたリモコン３からの通信情報に基づいて、扇風機本体２の動作を制御する制御部５１が設けられている。制御部５１は、リモコン３や本体操作部２３からの自動送風開始モードをオンにするとの通信情報に基づいて本体表示部２４への表示信号や温度センサ４４への温度検知開始信号および湿度センサ７１への湿度検知開始信号を送出する自動送風開始モード判定部５２と、温度センサ４４からの温度情報および湿度センサ７１からの湿度情報に基づき、検知温度が規定値以上であるか否かを判定すると共に、不快指数を算出し、その不快指数が規定値以上であるか否かを判定する温度・不快指数判定部７４と、温度・不快指数判定部７４の判定結果に基づいて駆動部５４に対して制御情報を送出する制御手段としての運転モード制御部５５と、前回の送風時の運転モードや初期設定の運転モード等を保存する記憶部５６とを備えている。
【００７３】
温度・不快指数判定部７４は、温度センサ４４からの温度検知信号と、湿度センサ７１からの湿度検知信号をそれぞれ取り込んで不快指数を算出する不快指数算出部７５を有する。ここで、温度検知信号により得られる温度をＴ（℃）、湿度検知信号により得られる湿度をＨ(％)とすると、不快指数算出部７５は、不快指数ＤＩを次の式により算出する。
【００７４】
【数１】
2020029854.tif 000003
【００７５】
次に、自動送風開始モードの設定方法について説明する。本実施形態では、初期設定において自動送風開始モードがオンになっており、温度の規定値が２５℃、不快指数ＤＩの規定値が８０に設定されている。そのため、扇風機本体２に給電すると本体表示部２４の設定温度表示部３６には「２５℃」の文字が表示され、設定不快指数表示部７３には「８０」の文字が点灯表示される。設定温度表示部３６に設定温度、設定不快指数表示部７３に設定不快指数ＤＩが点灯表示されることで自動送風開始モードがオンになっていることを示し、設定温度および設定不快指数が消灯している場合には自動送風開始モードがオフになっていることを示している。
【００７６】
自動送風開始モードがオンになっている状態で、リモコン操作部１１の自動モードボタン１７又は本体操作部２３の自動モードボタン３０を１回押動操作すると、設定温度表示部３６および設定不快指数表示部７３の表示が消灯し、自動送風開始モードがオフの状態となる。
【００７７】
自動送風開始モードがオフの状態で自動モードボタン１７又は自動モードボタン３０を１回押動操作すると、設定温度表示部３６に設定温度が点滅表示される。この状態で、リモコン操作部１１の風量＋ボタン１５と風量−ボタン１６、又は本体操作部２３の風量＋ボタン２８と風量−ボタン２９を押動操作することで設定温度を変更することができる。風量＋ボタン１５，２８を１回押動操作すると、表示されている設定温度が１℃上がり、風量−ボタン１６，２９を１回押動操作すると、表示されている設定温度が１℃下がる。
【００７８】
続いて、自動モードボタン１７，３０を１回押動操作すると、設定温度表示部３６の設定温度が点灯表示されると共に、不快指数表示部６６に設定不快指数が点滅表示される。この状態で、リモコン操作部１１の風量＋ボタン１５と風量−ボタン１６、又は本体操作部２３の風量＋ボタン２８と風量−ボタン２９を押動操作することで設定不快指数を変更することができる。風量＋ボタン１５，２８を１回押動操作すると、表示されている設定不快指数が１上がり、風量−ボタン１６，２９を１回押動操作すると、表示されている設定不快指数が１下がる。
【００７９】
続いて、自動モードボタン１７，３０を１回押動操作すると、不快指数表示部６６に設定不快指数が点灯表示され、自動送風開始モードがオンとなる。
【００８０】
次に、図１１に示すフローチャートを参照して本実施形態の自動送風開始モードの具体的な動作について説明する。
【００８１】
ステップＳ１：扇風機本体２に給電されると、自動送風開始モード判定部５２により、自動送風開始モードが選択されている（オン）か選択されていない（オフ）かが判定される。
【００８２】
ステップＳ２：自動送風開始モードがオフの場合には、温度センサ４４による温度検知および湿度センサ７１による湿度検知は行われない。
【００８３】
ステップＳ３：自動送風開始モードがオンの場合には、自動送風開始モード判定部５２から温度センサ４４に対して温度検知開始信号が送出され、温度センサ４４が周囲の温度検知を開始する。
【００８４】
ステップＳ４：温度センサ４４により検知された温度情報は、温度・不快指数判定部７４に送られ、温度・不快指数判定部７４が設定された規定値以上であるか否かを判定する。
【００８５】
ステップＳ５：温度・不快指数判定部７４により温度が規定値以上と判定された場合には、運転モード制御部５５から駆動部５４に対して駆動信号が送出され、送付部６による送風が開始される。なお、送風部６が既に送風運転を行っている場合には、その送風運転が継続される。
【００８６】
ステップＳ６：温度・不快指数判定部７４により温度が規定値未満と判定された場合には、自動送風開始モード判定部５２から湿度センサ７１に対して湿度検知開始信号が送出され、湿度センサ７１が周囲の湿度検知を開始する。
【００８７】
ステップＳ７：ステップＳ３において温度センサ４４により検知された温度情報と、湿度センサ７１により検知された湿度情報は、温度・不快指数判定部７４に送られ、不快指数算出部７５により不快指数ＤＩが算出される。そして、温度・不快指数判定部７４は、算出された不快指数ＤＩが設定された規定値以上であるか否かを判定する。不快指数ＤＩが設定された規定値未満の場合には、ステップＳ１に移行し、規定値以上の場合には、ステップＳ５に移行する。
【００８８】
ステップＳ８：送風運転が行われている状態で、リモコン操作部１１の運転入／切ボタン１２又は本体操作部２３の運転入／切ボタン２５を押動操作して扇風機本体２の電源を切ると、送風運転が停止すると共に、ステップＳ１に移行する。
【００８９】
なお、本実施形態では、検知温度が規定値以上であるか否かの判定の後に、不快指数ＤＩが規定値以上であるか否かの判定を行う構成となっているが、不快指数ＤＩの判定を先に行い、検知温度の判定を後に行う構成としてもよい。
【００９０】
以上のように、本実施形態の扇風機１は、温度センサ４４と、湿度センサ７１と、温度センサ４４の検知温度と湿度センサ７１の検知湿度に基づいて不快指数ＤＩを算出する不快指数算出部７５と、検知温度又は不快指数ＤＩに応じて送風動作を制御する運転モード制御部５５と、を備え、温度センサ４４が規定値以上の温度を検知した場合又は不快指数ＤＩが規定値以上である場合に送風運転を行う自動送風開始モードを有することにより、温度検センサ４４が検知した扇風機本体２の周囲の温度が規定値以上と判定された場合又は不快指数算出部７５により算出された不快指数ＤＩが規定値以上と判定された場合に、送風部６による送風運転を自動的に開始することができる。
【００９１】
なお、本発明は上記実施形態に限定されるものではなく、本発明の趣旨を逸脱しない範囲で種々の変更が可能である。例えば、送風機は送風機能を有するものであれば扇風機に限られず、サーキュレータ、エアコン、換気扇等であってもよい。
【符号の説明】
【００９２】
１  扇風機（送風機）
４４  温度センサ（温度検知手段）
５５  運転モード制御部（制御手段）
７１  湿度センサ（湿度検知手段）
７５  不快指数算出部
【図１】
2020029854.tif 000004
【図２】
2020029854.tif 000005
【図３】
2020029854.tif 000006
【図４】
2020029854.tif 000007
【図５】
2020029854.tif 000008
【図６】
2020029854.tif 000009
【図７】
2020029854.tif 000010
【図８】
2020029854.tif 000011
【図９】
2020029854.tif 000012
【図１０】
2020029854.tif 000013
【図１１】
2020029854.tif 000014